(57)【要約】      （修正有）【課題】袋材の頸部を結束するための結束具に関するものであり、取り扱い性が良好で、安定した結束状態を維持し、しかも製造コストの安価な新規な結束具を提供する。【解決手段】結束具は、袋材の頸部（袋材の開放端に近いぐるり）を結束することにより、当該袋材を簡易的に封止するためのものであって、概結束具は、シート状の２枚の顎部材を互いに枢着することにより形成される開閉自在の開口部を有する。【選択図】図５
0003140072.tif 000002
【実用新案登録請求の範囲】
【請求項１】
袋材の頸部を結束するための結束具であって、概結束具は、シート状の２枚の顎部材を互いに枢着することにより形成される開閉自在の開口部を有することを特徴とする結束具。
【請求項２】
２枚の顎部材の少なくとも一方における開口部にあたる部位には、袋材の頸部保持用の切り欠きを設けてなる請求項１に記載の結束具。
【請求項３】
顎部材から延設した脚部を設けてなる請求項１又は２に記載の結束具。
【請求項４】
２枚の顎部材が同一形状である請求項１ないし３のいずれか１項に記載の結束具。
【請求項５】
弾性部材を備えることにより、開口部が閉じる方向への付勢力を付与してなる請求項１ないし４のいずれか１項に記載の結束具。
【請求項６】
弾性部材が非線形弾性体である請求項５に記載の結束具。
【考案の詳細な説明】
【技術分野】
【０００１】
本考案は、袋材の頸部を結束するための結束具に関する。
【背景技術】
【０００２】
最近、食パンなどを包装する袋材１０を簡易的に封止するために、図７（ａ）に示すような形状の結束具１１が用いられている。
【０００３】
この結束具１１は、角を落とした略四角形状のプラスチックシート本体１２に貫通孔１３及び該貫通孔１３に繋がる案内溝１４を設けたものであり、図７（ｂ）に示すように、前記案内溝１４を経由して袋材１０の開放端に近いぐるり（頸部）を集約して貫通孔１３に通すことにより、巾着状に袋材１０の頸部を結束するものである。
【０００４】
しかしながら、このような結束具１１は、案内溝１４を経由して袋材１０の頸部を貫通孔１３に導く際に、プラスチックシート本体１２をかなり湾曲させる必要があり、簡単に破損、変形が生じるため、繰り返しての使用に限界があった。
【０００５】
その一方で、図８（ａ）に示すような折りたたみ式の結束具１１も開発されている。
【０００６】
この結束具１１は、折りたたみ可能な部材を折りたたむと共に掛け止めできるように構成したものであり、図８（ｂ）に示すように、袋材１０の頚部を平たく延ばした状態で封止するものである。
【０００７】
しかしながら、このような折りたたみ式の結束具１１においては、結束の際、あらかじめ袋材１０の頚部を平たく均す必要があり、即ち、袋材１０の頚部を巾着状に結束することができないことから、取り扱い性の面で問題があった。
【０００８】
そのため、ごく最近では、袋材の頚部を巾着状に結束することができ、しかも繰り返しの使用に耐え得る結束具が開発されている(例えば、下記特許文献１参照。)。
【０００９】
【特許文献１】特開２００５−１７７０８８公開公報
【００１０】
即ち、この特許文献１に記載の結束具は、雄型と雌型の部材からなり、袋材の頚部を前記雄型の部材と雌型の部材で挟み込むと共に各部材同士を嵌め合わせることにより、袋材の頚部を結束するものである。
【００１１】
しかしながら、前記特許文献１に記載の結束具は、安定した結束状態を維持するためにその構造が複雑となり、製造コストの面において問題があった。
【考案の開示】
【考案が解決しようとする課題】
【００１２】
そこで、本考案者は、このような問題を解決すべく鋭意検討を重ねた結果、袋材の頸部を結束するための結束具であって、概結束具は、シート状の２枚の顎部材を互いに枢着することにより形成される開閉自在の開口部を有することを特徴とする本考案の結束具を完成するに至ったのである。
【００１３】
即ち、本考案者は、この種、袋材の頸部を結束するための結束具として、シート状の２枚の顎部材を互いに枢着することにより形成される開閉自在の開口部を有するものとし、前記開口部をもって袋材の頸部を挟持することにより結束すれば、簡単に袋材の頚部を巾着状に結束することができる取り扱い性の非常に良好な結束具となり得るとの知見を得たのである。
【００１４】
特に、弾性部材により、前記開口部が閉じる方向に付勢力が生じるようにした場合、非常に安定した結束状態を維持することもできるとの知見も得たのである。
【００１５】
又、材料となるシート状部材や弾性部材は低コストで入手することができ、しかも複雑な製造工程を経る必要が無いことから、非常に安価な製造コストで短時間で多量に生産することも可能となるとの知見も得たのである。
【００１６】
本考案は、上記知見に基づき完成されたものであり、取り扱い性が良好で、安定した結束状態を維持し、しかも製造コストの安価な新規な結束具を提供することを目的とする。
【課題を解決するための手段】
【００１７】
以上の課題を解決する手段である本考案の結束具は、袋材の頸部を結束するための結束具であって、概結束具は、シート状の２枚の顎部材を互いに枢着することにより形成される開閉自在の開口部を有することを特徴とする。
以下、本考案の結束具について詳細に説明する。
【００１８】
本考案の結束具は、袋材の頚部を結束するためのものである。
【００１９】
即ち、本考案の結束具は、頸部（袋材の開放端近辺のぐるり）を結束することにより、当該袋材を簡易的に封止するためのものである。
【００２０】
なお、本考案において前記「袋材」とは、パンなどの商品を包む包装用袋に限られるものではなく、その他ゴミ袋等、一般的な袋材全般を意味する。又、袋材の素材としてもビニル袋などのプラスチックフィルムを素材としたものに限られず、紙袋などの紙を素材とするものであっても良い。更に、これらの素材をネット状などに形成したものであっても良いのである。
【００２１】
そして、本考案の結束具は、シート状の２枚の顎部材を互いに枢着することにより、開閉自在の開口部を形成した点に最も大きな特徴を有する。
【００２２】
即ち、本考案の結束具は、比較的安価で入手が容易なシート状の２枚の顎部材を互いに枢着するといった非常に単純な構成であるから、製造コストが安価になるのである。
【００２３】
又、本考案の結束具は、枢着点を中心に顎部材を回動させることにより開口部を開閉し、もって袋材の頸部を挟持するものであることから、使用時に、結束具自体を極端に湾曲させる必要が無くなり、長期的な繰り返し使用が可能になるのである。
【００２４】
ここで、前記顎部材を形成するシート状の素材としては、使用に耐え得る程度の機械的強度を有するものであれば特に限定されるものではない。一般的には、プラスチックシートなどと称される高分子材料を０．３〜１０ｍｍ厚程度、好ましくは０．５〜８ｍｍ厚程度のシート状に形成したものが好適に用いられるが、その他、紙や金属を素材とするシート状のものであっても良い。
【００２５】
具体的に例えば、ポリエチレン、ポリエステル、ポリアミド、ポリイミド、ポリカーボネート、エチレン酢酸ビニル共重合体、エチレンエチルアクリレート共重合体、エチレンポリプロピレン共重合体、ポリ塩化ビニル等の高分子材料から選ばれた少なくとも一種を、単層体或いは複層体のシート状に形成したものを好適な例として挙げることができる。
【００２６】
又、前記顎部材の形状としては、互いに枢着することができ、しかも当該枢着点を中心に回動することにより、開閉自在な開口部を生じるものであれば特に限定されるものではない。
【００２７】
もっとも、本考案の結束具においては、袋材の頚部を丸まった状態（巾着状）で結束し易くなるように、２枚の顎部材の少なくとも一方における開口部にあたる部位に、袋材の頸部保持用の切り欠きを設けることが好ましい。
【００２８】
即ち、２枚の顎部材の少なくとも一方における開口部にあたる部位に切り欠きを設けると、開口部における２枚の顎部材の重なりに空間を生じさせることができ、この空間に袋材における丸まった頚部を良好に保持することが可能になるのである。
【００２９】
又、本考案においては、顎部材から延設した脚部を設けることが好ましい。
【００３０】
即ち、顎部材から延設した脚部を設けると、当該脚部を操作することにより開口部の開閉を行うことができるようになり、より一層取り扱い性を向上することが可能になるのである。
【００３１】
ここで、前記顎部材を成型する手段としては、特に限定されるものではないが、一般的には、型枠形成や打ち抜き加工などの手段により所望の形状に成型することができる。
【００３２】
なお、本考案の結束具においては、成型ラインを一本化し、より一層の製造コストを低減するべく、２枚の顎部材を同一形状とすることが特に好ましい。
【００３３】
又、２枚の顎部材を互いに枢着する手段としても、枢着点を中心に顎部材が回動できる枢着手断であれば、特に限定されるものではない。一般的には、ねじ止め、ビス止め或いはリベットなどの枢着手段が用いられる。
【００３４】
ところで、本考案の結束具においては、弾性部材を備えることにより、結束時、開口部が閉じる方向に付勢力が生じるように構成することが特に好ましい。
【００３５】
即ち、弾性部材により、前記開口部が閉じる方向に付勢力を付与すれば、非常に安定した結束状態を維持できるのである。
【００３６】
この弾性部材としては、特に限定されるものではなく、バネなどの線形弾性体を用いても良いのであるが、本考案においては、製造コストの観点から、一般に安価な入手が容易なゴムなどの非線形弾性体を用いることが好ましい。
【考案の効果】
【００３７】
本考案は、前記構成を有し、取り扱い性が良好で、安定した結束状態を維持し、しかも製造コストの安価な新規な結束具である。
【００３８】
即ち、本考案の結束具は、シート状の２枚の顎部材を互いに枢着することにより形成される開閉自在の開口部を有しているから、前記開口部をもって袋材の頸部を挟持することにより結束することができ、これより、簡単に袋材の頚部を巾着状に結束することができる取り扱い性の非常に良好な結束具となるのである。
【００３９】
特に、本考案の結束具において、弾性部材により、前記開口部が閉じる方向に付勢力が生じるようにした場合、非常に安定した結束状態を維持することもできるのである。
【００４０】
又、材料となるシート状部材や弾性部材は低コストで入手することができ、しかも複雑な製造工程を経る必要が無いことから、非常に安価な製造コストで短時間で多量に生産することも可能となるのである。
【考案を実施するための最良の形態】
【００４１】
以下、本考案の結束具を実施するための最良の形態を実施例を挙げて説明するが、本考案はこの実施例に限定されるものではない。
【実施例１】
【００４２】
図１は、実施例１に係る本考案の結束具１を示す模式図である。この結束具１は、プラスチックシートを打ち抜いた２枚の同一形状の顎部材２（２ａ、２ｂ）を互いに枢着することにより形成される開閉自在の開口部３を有する。なお、図１（ａ）は、前記開口部を閉じた状態を示す模式図であり、図１（ｂ）は、前記開口部３を開いた状態を示す模式図である。
【００４３】
又、２枚の顎部材２（２ａ、２ｂ）における開口部３にあたる部位には、袋材１０の頸部１２を保持するための切り欠き４が設けられている。
【００４４】
更に、開口部３の周囲には弾性部材５として、輪ゴムが掛け回されている。
【００４５】
図２は、本実施例に係る本考案の結束具１の使用状態を示す模式図である。
【００４６】
即ち、本実施例に係る本考案の結束具１は、袋材１０の頚部を、前記開口部３をもって挟持することにより、当該袋材１０を簡易的に封止するものである。
【００４７】
そして、本実施例に係る本考案の結束具１は、比較的安価で入手が容易なシート状の２枚の顎部材２（２ａ、２ｂ）を互いに枢着するといった非常に単純な構成であるから、製造コストが安価になるのである。
【００４８】
又、本実施例に係る本考案の結束具１においては、２枚の顎部材２（２ａ、２ｂ）を同一形状としているから、当該顎部材２の成型ラインを一本化することができ、より一層の製造コストの低減が可能となるのである。
【００４９】
更に、本実施例に係る本考案の結束具１は、前記シート状の２枚の顎部材２（２ａ、２ｂ）を互いに枢着することにより形成される開閉自在の開口部３で、袋材１０の頸部を挟持するものであることから、使用時に、結束具自体を極端に湾曲させる必要が無くなり、長期的な繰り返し使用が可能になるのである。
【００５０】
加えて、本実施例に係る本考案の結束具においては、２枚の顎部材２（２ａ、２ｂ）における開口部３にあたる部位に、袋材１０の頸部を保持するための切り欠き４を設けているから、開口部３における２枚の顎部材２（２ａ、２ｂ）の重なりに空間を生じさせることができ、この空間に袋材１０における頚部を良好に保持することが可能になるのである。
【００５１】
特に、本実施例に係る本考案の結束具においては、弾性部材５としての輪ゴムを備えているから、結束時、開口部３が閉じる方向に付勢力が生じており、このため非常に安定した結束状態を維持できるのである。
【実施例２】
【００５２】
図３は、実施例２に係る本考案の結束具１を示す模式図である。この結束具１は、プラスチックシートを打ち抜いた２枚の同一形状の顎部材２（２ａ、２ｂ）を互いに枢着することにより形成される開閉自在の開口部３を有する。なお、図３（ａ）は、前記開口部を閉じた状態を示す模式図であり、図３（ｂ）は、前記開口部３を開いた状態を示す模式図である。
【００５３】
又、２枚の顎部材２（２ａ、２ｂ）における開口部３にあたる部位には、袋材１０の頸部１２を保持するための切り欠き４が設けられている。
【００５４】
更に、開口部３の周囲には弾性部材５としての輪ゴムが掛け回されている。
【００５５】
特に、本実施例に係る本考案の結束具１においては、２枚の顎部材２（２ａ、２ｂ）における開口部３側に延設した脚部６（６ａ、６ｂ）を設けている。
【００５６】
図４は、本実施例に係る本考案の結束具１の使用状態を示す模式図である。
【００５７】
即ち、本実施例に係る本考案の結束具１においては、顎部材２（２ａ、２ｂ）における開口部３側に延設した脚部６を設けているから、当該脚部６を操作することにより開口部３の開閉を行うことができるようになり、より一層取り扱い性を向上することが可能になるのである。
【００５８】
その余は、前記実施例１とほぼ同様であることから、繰り返しを避けるためここでは説明を省略する。
【実施例３】
【００５９】
図５は、実施例３に係る本考案の結束具１を示す模式図である。この結束具１は、プラスチックシートを打ち抜いた２枚の同一形状の顎部材２（２ａ、２ｂ）を互いに枢着することにより形成される開閉自在の開口部３を有する。なお、図５（ａ）は、前記開口部を閉じた状態を示す模式図であり、図５（ｂ）は、前記開口部３を開いた状態を示す模式図である。
【００６０】
又、２枚の顎部材２（２ａ、２ｂ）における開口部３にあたる部位には、袋材１０の頸部１２を保持するための切り欠き４が設けられている。
【００６１】
更に、開口部３の周囲には弾性部材５としての輪ゴムが掛け回されている。
【００６２】
特に、本実施例に係る本考案の結束具１においては、２枚の顎部材２（２ａ、２ｂ）における開口部３側及びその反対側に延設した脚部６（６ａ、６ｂ、６ｃ、６ｄ）を設けている。
【００６３】
図６は、本実施例に係る本考案の結束具１の使用状態を示す模式図である。
【００６４】
即ち、本実施例に係る本考案の結束具１においては、顎部材２（２ａ、２ｂ）における開口部３側及びその反対側から延設した脚部６（６ａ、６ｂ、６ｃ、６ｄ）を設けているから、当該脚部６（６ａ、６ｂ、６ｃ、６ｄ）を操作することにより開口部３の開閉を行うことができるようになり、より一層取り扱い性を向上することが可能になるのである。
【００６５】
その余は、前記実施例１とほぼ同様であることから、繰り返しを避けるためここでは説明を省略する。
【図面の簡単な説明】
【００６６】
【図１】図１は、実施例１に係る本考案の結束具を示す模式図である。
【図２】図２は、実施例１に係る本考案の結束具の使用状態を示す模式図である。
【図３】図３は、実施例２に係る本考案の結束具を示す模式図である。
【図４】図４は、実施例２に係る本考案の結束具の使用状態を示す模式図である。
【図５】図５は、実施例３に係る本考案の結束具を示す模式図である。
【図６】図６は、実施例３に係る本考案の結束具の使用状態を示す模式図である。
【図７】図７は、従来公知の結束具及びその使用状態を示す模式図である。
【図８】図８は、従来公知の結束具及びその使用状態を示す模式図である。
【符号の説明】
【００６７】
１  結束具
２  顎部材
３  開口部
４  頸部保持用の切り欠き
５  弾性部材
６  脚部
１０  袋材
【図１】
0003140072.tif 000003
【図２】
0003140072.tif 000004
【図３】
0003140072.tif 000005
【図４】
0003140072.tif 000006
【図５】
0003140072.tif 000007
【図６】
0003140072.tif 000008
【図７】
0003140072.tif 000009
【図８】
0003140072.tif 000010